(57)【要約】      （修正有）【課題】中国における伝統的な民族スポーツの１つである龍舞の訓練に対する便利な専門訓練及び方法を提供する。【解決手段】龍舞のための専門的な力、敏捷性、協調訓練を行うことができるようにするための、龍本体の重量を模したハンマー状部材２と、該ハンマー状部材２の移動方向を規制するための延伸方向が異なる複数の円弧状部１で構成されるレール機構と、該ハンマー状部材２及び該レール機構を支持するベース３を備える多方向龍舞訓練装置とする。【選択図】図１
2020138019.tif 000002
【特許請求の範囲】
【請求項１】
龍本体の重量を模したハンマー状部材、ハンマー状部材の移動方向を規制するためのレール機構、及びベースを備え、前記レール機構は、延伸方向が異なる複数のレールを有し、前記ハンマー状部材は複数のレール内を移動でき、前記レールはベースに固定され、
前記レール機構のレールは円弧状であり、
前記ハンマー状部材は、少なくとも互いに連結されるハンマーヘッド及び棒状部を備え、前記ベースに凹溝が設けられる、ことを特徴とする多方向龍舞訓練装置。
【請求項２】
前記レール機構は複数の円弧状部を含み、
円弧状部は第１円弧状部材及び第２円弧状部材という２つの円弧状部材を含み、
２つの円弧状部材は、弧度と長さが同じで、両端がいずれも互いに連結され、
いずれもベースに固定された複数の円弧状部は円周方向に配列され、それらの間にレールが形成される、ことを特徴とする請求項１に記載の多方向龍舞訓練装置。
【請求項３】
前記円弧状部の円弧状部材は端部において円弧状部の中心軸線方向へ接近する、ことを特徴とする請求項２に記載の多方向龍舞訓練装置。
【請求項４】
前記円弧状部に２つの円弧状部材に連結される第１棒状部及び第２棒状部が設けられ、
前記第１棒状部と第２棒状部は直立板に連結され、
前記複数の円弧状部はいずれも直立板を介してベースに連結される、ことを特徴とする請求項２に記載の多方向龍舞訓練装置。
【請求項５】
前記凹溝の最上部に凹溝カバーが設けられ、前記凹溝内に訓練補助装置を配置することができる、ことを特徴とする請求項１に記載の多方向龍舞訓練装置。
【請求項６】
前記凹溝内にパイプ本体が設けられ、パイプ本体は凹溝の側面を完全に被覆し、パイプ本体の先端にパイプ本体に垂直なワイドエッジが設けられ、ワイドエッジはパイプ本体の端部からパイプの外側へ径方向に延伸し、ワイドエッジとパイプ本体の端部との間に凹溝カバーの接合部位が設けられる、ことを特徴とする請求項５に記載の多方向龍舞訓練装置。
【請求項７】
前記ハンマー状部材のハンマーヘッドは管状部材及びダンベルを含み、前記ダンベルは管状部材内に嵌設され、前記棒状部は前記管状部材を貫通して前記ダンベルに連結される、ことを特徴とする請求項１に記載の多方向龍舞訓練装置。
【請求項８】
前記ベースは円柱状で、複数の層を有し、上層に位置するベースの面積は底層に位置するベースの面積よりも狭い、ことを特徴とする請求項１に記載の多方向龍舞訓練装置。
【請求項９】
龍舞演者が単独で訓練する場合、龍舞演者はベースから凹溝カバーの上方に入り、凹溝カバーをそのまま保持し、棒状部を把持し、２人の龍舞演者が協調して訓練する場合、凹溝カバーを開き、下方に位置する龍舞演者はベースから凹溝カバー内に入り、上方に位置する龍舞演者は下方に位置する龍舞者の肩の上に立って、棒状部を把持し、龍舞演者が単独で補助装置を使用する際、まず、補助装置を凹溝内に配置し、凹溝カバーを開き、龍舞演者はベースから凹溝カバーの上方に入って、補助訓練装置を使用するステップと、
棒状部を把持し、棒状部をレールに貫通させて、レール内で移動させるステップと、
ハンマーヘッドがベースの最上部まで降下した時、ハンマー状部材を上方に移動させるステップと、
ハンマーヘッドがレールの先端まで上昇した時、訓練者はハンマー状部材の移動方向を変更することで、ハンマー状部材を複数の方向のレールに移動させるか、またはハンマー状部材の移動方向を保持し、ハンマー状部材を反対方向に沿って続けて移動させるステップとを含む、ことを特徴とする請求項１〜８のいずれかに記載の多方向龍舞の訓練方法。
【請求項１０】
円弧状部のうちの第１円弧状部材と第２円弧状部材の相対位置を固定することで、第１円弧状部材の位置する平面が第２円弧状部材の位置する平面に対して垂直になるようにして、第１円弧状部材の両端と第２円弧状部材の両端を溶接するステップと、
第１棒状部を溶接することで、第１棒状部を第１円弧状部材の中点位置と第２円弧状部材の中点位置に連結し、第２棒状部を溶接することで、第２棒状部を第１円弧状部材の一端に近い位置に連結し、第１円弧状部を形成し、このステップを繰り返し、複数の円弧状部の製造を完了させるステップと、
直立板の上底辺または上底辺の内側を第１棒状部に連結し、第２棒状部を直立板の斜辺または斜辺の内側に連結するステップと、
直立板の直角辺をベースの環状部材に連結し、かつ複数の円弧状部を円周方向に配列し、環状部材をベースの上面に取り付け、かつ環状部材と凹溝が同心になるように保証するステップと、
ベースの凹溝内にパイプ本体を取り付け、かつパイプ本体のワイドエッジがベースの先端に位置するように保証し、パイプ本体の最上部に凹溝カバーを取り付けるステップとを含む、ことを特徴とする多方向龍舞訓練装置の製造方法。
【発明の詳細な説明】
【技術分野】
【０００１】
本発明はスポーツ用品の分野に属し、具体的には、多方向龍舞訓練装置及び方法に関する。
【背景技術】
【０００２】
龍舞は中国における伝統的な民族スポーツの１つである。龍舞演者は、ロッドを握って振り回すことによって龍舞を踊る。龍舞は、現代の民俗芸能公演において依然として重要な位置を占めており、龍舞の効果は主に龍舞演者により決まるものであるため、演者に対する訓練が欠かせない。
【０００３】
従来の龍舞演者の訓練過程においては、三つの課題に常に直面してきた。一つ目は、龍舞演者の力である。龍舞に使用される龍自体が一定の重さを有し、かつ龍舞の過程で風の抵抗も龍舞者が克服すべき重要な問題であり、さらに龍舞の過程で特定の華麗な動作をしなければならず、龍舞は力に対する一定の要件があり、この力には、ある程度の筋肉記憶が必要とされる。二つ目は、龍舞演者の敏捷性であり、龍舞は揺らしに対する要求が高く、複数の龍舞演者の中で、それぞれが異なる状況に直面するため、龍舞の動作を事前に判断することが求められ、各方向で高い敏捷性を持つ必要があり、この敏捷性には長時間の訓練が必要とされる。三つ目は、協調性、特に２人の間の協調性という課題であり、２人の龍舞演者には、一般的に肩に乗る動作があり、この動作は共同で練習する必要がある。現状は、上記訓練はコーチの指導の下で複数の人が共同で行う必要がある。
【０００４】
発明者は、現状において、龍舞に求められる力、敏捷性の専門的な訓練、協調動作の訓練を行う装置及び方法がなく、従来文献においても、この装置に関していかなる記載もないと認識している。
【発明の概要】
【発明が解決しようとする課題】
【０００５】
本発明が解決しようとする技術的課題は、従来技術において龍舞の訓練に対する便利な専門訓練及び方法がないという欠点に対して、多方向龍舞訓練装置及び方法を提供することである。
【課題を解決するための手段】
【０００６】
龍本体の重量を模したハンマー状部材、ハンマー状部材の移動方向を規制するためのレール機構、及びベースを備え、上記レール機構は、延伸方向が異なる複数のレールを有し、上記ハンマー状部材は複数のレール内を移動でき、上記レールはベースに固定され、上記レール機構のレールは円弧状であり、上記ハンマー状部材は、少なくとも互いに連結されるハンマーヘッド及び棒状部を備える多方向龍舞訓練装置。
【０００７】
さらに、上記ベースに凹溝が設けられ、上記凹溝に開閉可能な凹溝カバーが設けられる。
【０００８】
さらに、上記レール機構は複数の円弧状部を含み、円弧状部は第１円弧状部材及び第２円弧状部材という２つの円弧状部材を含み、２つの円弧状部材は、弧度と長さが同じで、両端がいずれも互いに連結され、いずれもベースに固定された複数の円弧状部は円周方向に配列され、それらの間にレールが形成され、複数の円弧状部はベースに固定される。
【０００９】
さらに、上記円弧状部の円弧状部材は端部において円弧状部の中心軸線方向へ接近する。
【００１０】
さらに、上記円弧状部に２つの円弧状部材に連結される第１棒状部及び第２棒状部が設けられ、上記第１棒状部と第２棒状部は直立板に連結され、上記複数の円弧状部はいずれも直立板を介してベースに連結される。
【００１１】
さらに、上記凹溝の最上部に凹溝カバーが設けられ、上記凹溝内に訓練補助装置を配置することができる。
【００１２】
さらに、上記凹溝内にパイプ本体が設けられ、パイプ本体は凹溝の側面を完全に被覆し、パイプ本体の先端にパイプ本体に垂直なワイドエッジが設けられ、ワイドエッジはパイプ本体の端部からパイプの外側へ径方向に延伸し、ワイドエッジとパイプ本体の端部との間に凹溝カバーの接合部位が設けられる。
【００１３】
さらに、上記ハンマー状部材のハンマーヘッドは管状部材及びダンベルを含み、上記ダンベルは管状部材内に嵌設され、上記棒状部は上記管状部材を貫通して上記ダンベルに連結される。
さらに、上記ベースは円柱状で、複数の層を有し、上層に位置するベースの面積は底層に位置するベースの面積よりも狭い。
【００１４】
本発明が採用する龍舞訓練装置及び方法は、ハンマー状部材をレール内で移動させることによって龍舞の動作に倣い、ハンマー状部材が移動する過程で、関連する筋肉組織、靭帯組織などが訓練される。レール機構の方向が異なる複数のレールは、龍舞の過程における方向が異なる動作に倣う。ベースは訓練の難易度を上げるために用いられ、ベースを追加することで、特定の高さでの動作に倣うことができる。
【００１５】
また、本発明はさらに多方向龍舞の訓練方法を開示する。
龍舞演者が単独で訓練する場合、龍舞演者はベースから凹溝カバーの上方に入り、凹溝カバーをそのまま保持し、棒状部を把持し、２人の龍舞演者が協調して訓練する場合、凹溝カバーを開き、下方に位置する龍舞演者はベースから凹溝カバー内に入り、上方に位置する龍舞演者は下方に位置する龍舞演者の肩の上に立って、棒状部を把持し、龍舞演者が単独で補助装置を使用する場合、まず補助装置を凹溝内に配置し、凹溝カバーを開き、龍舞演者はベースから凹溝カバーの上方に入って、補助訓練装置を使用するステップと、
棒状部を把持し、棒状部をレールに貫通させて、レール内で移動させるステップと、
ハンマーヘッドがベースの最上部まで降下した時、ハンマー状部材を上方に移動させるステップと、
【００１６】
ハンマーヘッドがレールの先端まで上昇した時、訓練者はハンマー状部材の移動方向を変更することで、ハンマー状部材を他の方向のレールへ移動させるか、またはハンマー状部材の移動方向を保持し、ハンマー状部材を反対方向に沿って続けて移動させるステップとを含む。
【００１７】
また、本発明はさらに多方向龍舞の訓練装置の製造方法を開示する。
円弧状部のうちの第１円弧状部材と第２円弧状部材の相対位置を固定することで、第１円弧状部材の位置する平面が第２円弧状部材の位置する平面に対して垂直になるようにして、第１円弧状部材の両端と第２円弧状部材の両端を溶接するステップと、
【００１８】
第１棒状部を溶接することで、第１棒状部を第１円弧状部材の中点位置と第２円弧状部材の中点位置に連結し、第２棒状部を溶接することで、第２棒状部を第１円弧状部材の一端に近い位置に連結し、第１円弧状部を形成し、このステップを繰り返し、複数の円弧状部の製造を完了させるステップと、
【００１９】
直立板の上底辺または上底辺の内側を第１棒状部に連結し、第２棒状部を直立板の斜辺または斜辺の内側に連結するステップと、
直立板の直角辺をベースの環状部材に連結し、かつ複数の円弧状部を円周方向に配列し、環状部材をベースの上面に取り付け、かつ環状部材と凹溝が同心になるように保証するステップと、
【００２０】
ベースの凹溝内にパイプ本体を取り付け、かつパイプ本体のワイドエッジがベースの先端に位置するように保証し、パイプ本体の最上部に凹溝カバーを取り付けるステップとを含む。
【００２１】
本発明の有益な効果は以下のとおりである。
１、ハンマー状部材をレール内で移動させることによって、龍舞の動作に倣う。ハンマー状部材を移動させる過程で、関連する筋肉組織、靭帯組織などが訓練される。レール機構の方向が異なる複数のレールは、龍舞の過程における方向が異なる動作に倣う。ベースは訓練の難易度を上げるために用いられ、ベースを追加することで、特定の高さでの動作に倣うことができる。装置全体は龍舞に倣うように設計され、龍舞演者の専門的な素質を向上させることが可能である。
【００２２】
２、本発明に開示された装置を使用して龍舞訓練を行うことで、１人で行う時に必要な力、敏捷性の専門的な訓練に倣うことができるだけでなく、２人が協調する龍舞の動作に倣うこともできる。また、様々な方向の龍舞動作に十分に倣うことで、龍舞訓練の効率を効果的に向上させ、１人でも、２人でも訓練できるという目的を実現する。
【図面の簡単な説明】
【００２３】
図面は本発明の更なる理解のために用いられ、かつ明細書の一部を構成しており、本発明の実施例と合わせて本発明を説明するものであり、本発明を限定するものではない。
【００２４】
【図１】実施例１の正面図である。
【図２】実施例１におけるベースを取り外した正面図である。
【図３】実施例１における隣接する円弧状部及び直立板の概略図である。
【図４】実施例１における直立板に連結される単一の円弧状部の概略図である。
【図５】実施例１におけるベースの概略図である。
【図６】実施例１における凹溝カバーの概略図である。
【図７】実施例１におけるパイプ本体の概略図である。
【図８】実施例１におけるハンマー状部材の概略図である。
【図９】実施例１におけるレールの概略図である。
【発明を実施するための形態】
【００２５】
多方向龍舞訓練装置であって、
【００２６】
龍本体の重量を模したハンマー状部材、ハンマー状部材の移動方向を規制するためのレール機構、及びベースを備える。上記レール機構は、複数の延伸方向が異なるレールを有し、上記ハンマー状部材は複数のレール内を移動でき、上記レールはベースに固定される。
上記レール機構のレールは円弧状である。
上記ハンマー状部材は、少なくとも互いに連結されたハンマーヘッド及び棒状部を備える。上記ベースに凹溝が設けられる。
【００２７】
さらに、上記レール機構は複数の円弧状部を含む。円弧状部は第１円弧状部材及び第２円弧状部材という２つの円弧状部を含む。この２つの円弧状部材は弧度と長さが同じで、両端がいずれも互いに連結される。いずれもベースに固定された複数の円弧状部は円周方向に配列され、それらの間にレールが形成される。
さらに、上記円弧状部の円弧状部材は端部において円弧状部の中心軸線方向へ接近する。
【００２８】
さらに、上記円弧状部に２つの円弧状部材に連結される第１棒状部及び第２棒状部が設けられ、上記第１棒状部と第２棒状部は直立板に連結され、上記複数の円弧状部はいずれも直立板を介してベースに連結される。
さらに、上記凹溝の最上部に凹溝カバーが設けられ、上記凹溝内に訓練補助装置を配置することができる。
【００２９】
さらに、上記凹溝内にパイプ本体が設けられ、パイプ本体は凹溝の側面を完全に被覆し、パイプ本体の先端にパイプ本体と垂直なワイドエッジが設けられ、ワイドエッジはパイプ本体の端部からパイプの外側へ径方向に延伸し、ワイドエッジとパイプ本体の端部との間に凹溝カバーの接合部位が設けられる。
【００３０】
さらに、上記ハンマー状部材のハンマーヘッドは管状部材及びダンベルを含む。上記ダンベルは管状部材内に嵌設され、上記棒状部は上記管状部材を貫通して上記ダンベルに連結される。
さらに、上記ベースは円柱状で、複数の層を有する。上層に位置するベースの面積は底層に位置するベースの面積よりも狭い。
【００３１】
龍舞演者が単独で訓練する場合、龍舞演者はベースから凹溝カバーの上方に入り、凹溝カバーをそのまま保持し、棒状部を把持し、２人の龍舞演者が協調訓練する場合、凹溝カバーを開き、下方に位置する龍舞演者はベースから凹溝カバー内に入り、上方に位置する龍舞演者は下方に位置する龍舞演者の肩の上に立って、棒状部を把持し、龍舞演者が単独で補助装置を使用する時、まず、補助装置を凹溝内に配置し、凹溝カバーを開き、龍舞演者はベースから凹溝カバーの上方に入って、補助訓練装置を使用するステップと、
【００３２】
棒状部を把持し、棒状部をレールに貫通させて、レール内で移動させるステップと、
ハンマーヘッドがベースの最上部まで降下した時、ハンマー状部材を上方に移動させるステップと、
【００３３】
ハンマーヘッドがレールの先端まで上昇した時、訓練者はハンマー状部材の移動方向を変更することで、ハンマー状部材を複数の方向のレールに移動させるか、またはハンマー状部材の移動方向を保持し、ハンマー状部材を反対方向に沿って続けて移動させるステップとを含む多方向龍舞訓練方法。
【００３４】
円弧状部内にある第１円弧状部材と第２円弧状部材の相対位置を固定することで、第１円弧状部材の位置する平面が第２円弧状部材の位置する平面に対して垂直になるようにし、第１円弧状部材の両端と第２円弧状部材の両端を溶接するステップと、
【００３５】
第１棒状部を溶接して、第１棒状部を第１円弧状部材の中点位置と第２円弧状部材の中点位置に連結し、第２棒状部を溶接して、第２棒状部を第１円弧状部材の一端に近い位置に連結し、第１円弧状部を形成し、このステップを繰り返して、複数の円弧状部の製造を完了させるステップと、
直立板の上底辺または上底辺の内側を第１棒状部に連結し、第２棒状部を直立板の斜辺または斜辺の内側に連結するステップと、
【００３６】
直立板の直角辺をベースの環状部材に連結し、かつ複数の円弧状部を円周方向に配列し、環状部材をベースの上面に取り付け、かつ環状部材と凹溝が同心になるように保証するステップと、
【００３７】
ベースの凹溝内にパイプ本体を取り付け、かつパイプ本体のワイドエッジがベースの先端に位置することを保証し、パイプ本体の最上部に凹溝カバーを取り付けるステップとを含む多方向龍舞訓練装置の製造方法。
以下に図面及び実施例を参照しながら、本発明の技術的解決手段をさらに詳しく説明する。
【００３８】
以下の詳細な説明はいずれも例示的なものであり、本出願のさらなる説明を提供することを意図している。特記しない限り、本明細書で使用されるすべての技術的及び科学的用語は、当業者にとって一般的に理解されるものと同じ意味を有する。
【００３９】
なお、ここで使用される用語は、発明を実施するための形態を説明するためのものに過ぎず、本出願の例示的な実施形態を意図的に規制するものではない。ここで使用されているように、文脈に特記しない限り、単数形は複数形をも含むことが意図されており、さらに、本明細書において「含有」及び／または「含む」という用語が使用された場合、それは特徴、ステップ、操作、デバイス、アセンブリ及び／またはそれらの組み合わせの存在を示す。
なお、以下の実施例における方向に関する用語は図面及び実際の使用習慣に基づいて説明されたものである。
【００４０】
実施例１
多方向龍舞訓練装置であって、龍本体の重量を模したハンマー状部材２、ハンマー状部材２の移動方向を規制するためのレール機構、及びベース３を備える。上記レール機構は、延伸方向が異なる複数のレールを有し、上記ハンマー状部材２は複数のレール内を移動でき、上記レールはベース３に固定される。
【００４１】
上記レール機構は複数の円弧状部１を含む。円弧状部１は弧度と長さが同じ２つの円弧状部材を含み、２つの円弧状部材の両端同士は互いに連結される。複数の円弧状部１は円周方向に配列され、それらの間にレールが形成される。上記レール機構のレールは円弧状で、複数の円弧状部１はいずれもベース３に固定される。
【００４２】
レールの両端がレール本体よりも広いレール上方出口１５及びレール下方出口１６を形成するように、上記円弧状部１の円弧状部材は端部において円弧状部１の中心軸線方向へ接近する。
【００４３】
上記円弧状部１に２つの円弧状部材に連結される第１棒状部１３が設けられ、上記第１棒状部１３は直立板１４に連結され、上記複数の円弧状部１はいずれも直立板１４を介してベース３に連結される。
【００４４】
本実施例では、図４に示すように、合計８つの上記円弧状部１がベース３上に十字形に分布し、それらの間に８本のレールが形成される。円弧状部材が端部で円弧状部１の中心軸線方向へ接近して、レールの両端の実際の幅はレール本体の幅よりも大きいため、ハンマー状部材２を出し入れしやすくする。訓練しやすくするために、上記円弧状部材の弧長は上記ハンマーヘッドの長さより長い。
【００４５】
本実施例では、上記円弧状部材は、両端がいずれも同じ側に湾曲した金属棒により形成されたものである。２つの円弧状部材を溶接する時、第１円弧状部材１１の両端は第１方向に曲げられ、第２円弧状部材１２の両端は第２方向に曲げられる。第１円弧状部１１と第２円弧状部１２の仕様は同じであり、第１方向と第２方向は反対である。第１円弧状部材１１と第２円弧状部材１２の相対位置を固定することで、第１円弧状部材１１の位置する平面は第２円弧状部材１２の位置する平面に対して垂直になり、第１円弧状部材１１の両端と第２円弧状部材１２の両端を溶接し、第１棒状部１３を溶接して第１円弧状部材１１の中点位置と第２円弧状部材１２の中点位置を連結することで、第１円弧状部１１を形成する。第２、第３、第４、第５、第６、第７、第８円弧状部は同じ方法で製造される。
さらに、上記第１円弧状部材１１の円弧度と第２円弧状部材１２の円弧度はともに鈍角である。
【００４６】
上記第１円弧状部材１１及び第２円弧状部材１２が位置する平面は４５°であり、そのため、球面が第１円弧状部材１１及び第２円弧状部材１２と完全に重なり合うと仮定できる。
【００４７】
本実施例では、円弧状部１とベース３は直立板１４を介して連結される。図３に示すように、上記直立板１４は直角台形であり、その上辺と底辺がそれぞれ上記第１棒状部１３と第２棒状部（図に示されていない）に連結される。上記直立板１４は十分な強度を有する材料で製造される。
さらに、上記直立板１４の斜辺は円弧状で、かつ第１円弧状部材１１及び第２円弧状部材１２を合わせた球面に密着する。
【００４８】
上記ハンマー状部材２は、少なくとも互いに連結されたハンマーヘッド及び棒状部を備える。上記棒状部の長さは龍舞の際に把持される棒状部２３の長さに近い。本実施例では、上記棒状部を木製の棒で製造する。
さらに、上記ハンマーヘッドを溶接するために、上記棒状部の端部に金属管が嵌設される。
【００４９】
上記ハンマー状部材２のハンマーヘッドは管状部材２１及びダンベル２２を含む。上記ダンベル２２は管状部材２１内に嵌設され、上記棒状部は上記管状部材２１を貫通して上記ダンベル２２に連結される。
【００５０】
本実施例では、ダンベル２２を使用することで、上記ハンマーヘッドの重量を自発的に変更し、訓練計画を簡単に作成できる。ダンベル２２と棒状部との間の連結は溶接、リベット留め、又はボルト締めなどの方法を採用することができる。
【００５１】
さらに、上記ダンベル２２の中軸は上記棒状部の端部にある金属管に直接溶接されるか、または、上記ダンベル２２の中軸は金属製のＴ継手を介して上記棒状部に連結される。
【００５２】
上記ベース３内に凹溝が設けられ、上記凹溝の最上部に凹溝カバー３４が設けられる。上記凹溝内に訓練補助装置を配置することができる。上記ベース３は円柱状であり、複数の層を有する。上層に位置するベース３の面積は底層に位置するベース３の面積よりも狭い。
【００５３】
本実施例では、上記ベース３には階段状の二層が設けられ、上記ベース３をこのように設計する目的は、訓練者が上記ベース３の最上面に早く到達できるようにすることである。上記ベース３内の凹溝は円柱状であり、上記凹溝内にパイプが配置される。上記凹溝内に訓練補助装置を配置できるだけでなく、２人で訓練する際、人を立たせてその内部に収容することもできる。本実施例では、上記ベース３内の凹溝は円柱状であり、別の実施例では、上記凹溝は一定の容積を有する他の空間形状であってもよい。
【００５４】
さらに、製造効率を向上させるために、上記ベース３はさらに環状部材３１を含む。直立板１４がまず環状部材３１に固定連結されてから、環状部材３１がベース３に連結されることで、環状部材３１は上記直立板１４を固定連結するために用いられる。
【００５５】
さらに、凹溝の使用体験を向上させるために、凹溝内にパイプ本体４３が設けられ、パイプ本体４３は凹溝の側面を完全に被覆し、パイプ本体４３の先端にパイプ本体４３に垂直なワイドエッジ４２が設けられ、ワイドエッジ４２はパイプ本体４３の端部からパイプの外側へ径方向に延伸される。凹溝カバー３４を簡単に接合して取り付けるように、ワイドエッジ４２とパイプ本体４３の端部との間に凹溝カバー接合部位４１が設けられる。
【００５６】
本実施例では、数値について具体的には、訓練者が上記凹溝内に容易に入るように、上記ベース３の高さは１．５ｍ〜２．０ｍである。訓練を容易にするために、上記円弧状部材の弧長は１．５ｍ〜２．０ｍである。
【００５７】
なお、本実施例では、ハンドル３４２を介して上記凹溝カバー３４を持ち上げ、さらに凹溝を露出させるために、上記凹溝カバー３４の最上部にハンドル３４２が固定連結される。
【００５８】
図３及び図４に示すように、上記円弧状部１をさらに固定するために、上記円弧状部１の下半分に環状部材３１が設置され、環状部材３１は上記直立板１４を連結する。
【００５９】
本実施例によれば、少なくとも以下の有益な効果を有する。
１、本実施例では、ハンマー状部材２をレール内で移動させることによって、龍舞の動作に倣う。ハンマー状部材２を移動させる過程で、関連する筋肉組織、靭帯組織などが訓練される。レール機構の方向が異なる複数のレールは、龍舞の過程における方向が異なる動作に倣う。ベース３は訓練の難易度を上げるために用いられ、ベース３を追加することで、特定の高さでの動作に倣うことができる。装置全体は龍舞に倣って設計され、龍舞演者の専門的な素質を向上させる。
【００６０】
２、本実施例では、訓練中にハンマー状部材２を出し入れしやすくするために、円弧状部１の先端と底端に広い出口が形成され、訓練速度を速めて、訓練レベルを向上させる。
【００６１】
実施例２
実施例２には多方向龍舞訓練方法が開示されている。単独で訓練する龍舞演者を例として、龍舞演者はベース３から凹溝カバー３４の上方に入り、凹溝カバー３４をそのまま保持し、棒状部を把持する。
棒状部を把持し、棒状部をレールに貫通させて、レール内で移動させる。
ハンマーヘッドがベース３の最上部まで降下した時、ハンマー状部材２を上方に移動させる。
【００６２】
ハンマーヘッドがレールの先端まで上昇した時、訓練者はハンマー状部材２の移動方向を変更することで、ハンマー状部材２を他の方向のレールに移動させるか、またはハンマー状部材２の移動方向を保持し、ハンマー状部材２を反対方向に沿って続けて移動させる。
【００６３】
本実施例では、龍舞演者は上記ハンマー状部材２を単独で使用して訓練し、上記ハンマー状部材２の移動軌跡は龍舞演者の把持部位及びレールにより規制され、レールの形状に沿って移動する。８つのレールがあり、かつ各レールには実際のところ４５°の間隔があるため、実際の移動時、ハンマー状部材がレールの上方から滑り出すたびに、少なくとも７つの方向の経路が選択でき、実際の龍舞の際の動作環境を可能な限りシミュレーションする。実際の龍舞においては、チームの前進における変化は多様であり、一般的にＳ字形のルートが多いものの、前進の過程で、各龍舞演者は龍舞を振り回す必要があり、かつ風速や地形などの外部環境の影響に直面する。そのため、龍舞時に直面する方向は様々であり、複数の方向のレールを設置する必要がある。
【００６４】
実施例３
実施例３には多方向龍舞訓練方法が開示されている。協調して訓練する２人の龍舞演者を例として、凹溝カバー３４を開き、下方に位置する龍舞演者はベース３から凹溝カバー３４内に入り、上方に位置する龍舞者は下方に位置する龍舞者の肩の上に立って、棒状部を把持する。
棒状部を把持し、棒状部をレールに貫通させて、レール内で移動させる。
ハンマーヘッドがベース３の最上部まで降下した時、ハンマー状部材２を上方に移動させる。
【００６５】
ハンマーヘッドがレールの先端まで上昇した時、訓練者はハンマー状部材２の移動方向を変更することで、ハンマー状部材２を他の方向のレールに移動させるか、またはハンマー状部材２の移動方向を保持し、ハンマー状部材２を反対方向に沿って続けて移動させる。
【００６６】
本実施例では、上方に位置する龍舞演者は上記ハンマー状部材２を使用して訓練を行う。本実施例において倣う訓練状況は龍舞動作における一般的な動作である。具体的には、この動作の演技はまず第１龍舞演者は飛び上がり、同時に、第２龍舞演者は第１龍舞演者を肩に乗せる準備をし、第１龍舞演者は第２龍舞演者の肩の上に立ち、同時に第２龍舞演者は第１龍舞演者の両足を両手でしっかりと抱え、第１龍舞演者の位置を可能な限り固定する。
【００６７】
従って、本実施例では、上記ハンマー状部材２の動作状態は実施例３と類似する。実際の龍舞においては、チームの前進における変化は多様であり、一般的にＳ字形のルートが多いものの、前進の過程で、各龍舞演者は龍舞を振り回す必要があり、かつ風速や地形などの外部環境の影響に直面する。そのため、龍舞時に直面する方向は様々で、十分な回転空間を設計する必要がある。
【００６８】
本実施例では、下方に位置する龍舞演者が龍舞する際、第１龍舞演者の両足を両手でしっかりと抱えて、上方に位置する龍舞演者の位置を可能な限り固定する必要がある。
【００６９】
実施例４
実施例４には多方向龍舞訓練方法が開示されている。龍舞演者の単独訓練を例として、まず、凹溝にランニング機が設けられ、かつ龍舞演者がランニング機を使いやすくするために、ブロックを使用してランニング機を持ち上げて、ランニング機を一定の高さにする。
凹溝カバー３４を開き、龍舞演者はランニング機の上に立ち、棒状部を把持する。
棒状部を把持し、棒状部をレールに貫通させて、レール内で移動させる。
ランニング機を起動し、龍舞演者は同時に走り始める。
ハンマーヘッドがベース３の最上部まで降下した時、ハンマー状部材２を上方に移動させる。
【００７０】
ハンマーヘッドがレールの先端まで上昇した時、訓練者はハンマー状部材２の移動方向を変更することで、ハンマー状部材２を他の方向のレールに移動させるか、またはハンマー状部材２の移動方向を保持し、ハンマー状部材２を反対方向に沿って続けて移動させる。
【００７１】
本実施例では、上記ハンマー状部材２の動作状態は実施例３と類似する。実際の龍舞においては、チームの前進における変化は多様であり、一般的にＳ字形のルートが多い。本実施例では、敏捷性の訓練を容易にするために、ランニング機を使用して、前進の過程で、龍舞演者は前方に走行する状態に倣う。
【００７２】
図９に示すように、本実施例に開示された方法で訓練する時、以下のルールに従って訓練できる。ハンマー状部材は、第１レール６１の上方から滑り出すたびに、第１レール６１の反対側にある第２レール６２に入り、第２レール６２の上方から滑り出し、第１レール５１の隣にある第３レール６３に入り、第３レール６３の上方から滑り出し、第３レール６３の反対側にある第４レール６４に入り、第４レール６４の上方から滑り出し、第３レール６３の隣にある第５レール６５に入り、第５レール６５の上方から滑り出し、第５レール６５の反対側にある第６レール６６に入り、第６レール６６の上方から滑り出し、第６レール６６の反対側にある第７レール６７に入り、第７レール６７の上方から滑り出し、第６レール６６の隣にある第８レール６６に入り、第８レール６８の上方から滑り出し、第１レール６１に入る。これを繰り返す。
【００７３】
実施例５
実施例５には多方向龍舞訓練方法が開示されている。龍舞演者の単独訓練を例として、まず、凹溝に人の肩を模した長ベンチが設けられ、かつ人が長ベンチに立てるように、ブロックを使用して長ベンチを持ち上げ、長ベンチを一定の高さとする。
凹溝カバー３４を開き、龍舞演者は長ベンチの上に立ち、棒状部を把持するステップと、
棒状部を把持し、棒状部をレールに貫通させて、レール内で移動させるステップと、
ハンマーヘッドがベース３の最上部まで降下した時、ハンマー状部材２を上方に移動させるステップと、
【００７４】
ハンマーヘッドがレールの先端まで上昇した時、訓練者はハンマー状部材２の移動方向を変更することで、ハンマー状部材２を他の方向のレールに移動させるか、またはハンマー状部材２の移動方向を保持し、ハンマー状部材２を反対方向に沿って続けて移動させるステップとを含む。
【００７５】
本実施例では、上記ハンマー状部材２の作動状態は実施例３と類似する。実際の龍舞には、肩に乗る動作があり、本実施例では長ベンチで肩を模しているが、他の類似する装置を使用して肩を模してもよい。
【００７６】
実施例６
実施例６には多方向龍舞装置の製造方法が開示されている。
円弧状部１のうちの第１円弧状部材１１と第２円弧状部材１２の相対位置を固定することで、第１円弧状部材１１の位置する平面が第２円弧状部材１２の位置する平面に対して垂直になるようにして、第１円弧状部材１１の両端と第２円弧状部材１２の両端を溶接するステップと、
【００７７】
第１棒状部１３を溶接して第１円弧状部材１１の中点位置と第２円弧状部材１２の中点位置を連結することで、第１円弧状部を形成し、第２、第３、第４、第５、第６、第７、第８円弧状部を同じ方法で製造するステップと、
【００７８】
直立板１４の上底板を第１棒状部１３に溶接してもよく、第１棒状部１３を直立板１４の上側に直接貫通させ、第１棒状部１３を直立板１４の斜辺に溶接してもよく、第１棒状部１３を直立板１４の斜辺の内側に直接貫通させてもよいステップと、
【００７９】
直立板１４の直角辺をベース３の環状部材３１に溶接するかまたは螺合し、かつ第１〜第８円弧状部１を円周方向に配列し、環状部材３１をベース３の先端に取り付け、かつ環状部材３１と凹溝が同心になるように保証するステップと、
【００８０】
ベース３の凹溝内にパイプ本体４３を取り付け、かつパイプ本体４３のワイドエッジ４２がベース３の先端に位置するように保証し、パイプ本体４３の最上部に凹溝カバー３４を取り付けるステップとを含む。
【００８１】
以上の説明は本出願の好ましい実施例に過ぎず、本出願を限定するものではなく、当業者にとって本出願は様々な変更及び修正が可能である。本出願の主旨及び原理の範囲内でなされるいかなる修正、等価置換、改良などは、いずれも本出願の保護範囲に含まれるものとする。
【符号の説明】
【００８２】
１、円弧状部  １１、第１円弧状部  １２、第２円弧状部  １３、第１棒状部  １４、直立板  １５、レールの上方出口  １６、レールの下方出口  ２、ハンマー状部材  ２１、管状部材  ２２、ダンベル  ２３、棒状部  ３、ベース  ３１、環状部材  ３２、第１層ベース  ３３、第２層ベース  ３４、凹溝カバー  ３４１、凹溝カバー本体  ３４２、ハンドル  ４１、凹溝カバー接合部位  ４２、ワイドエッジ  ４３、パイプ本体  ６１、第１レール  ６２、第２レール  ６３、第３レール  ６４、第４レール  ６５、第５レール  ６６、第６レール  ６７、第７レール  ６８、第８レール。
【図１】
2020138019.tif 000003
【図２】
2020138019.tif 000004
【図３】
2020138019.tif 000005
【図４】
2020138019.tif 000006
【図５】
2020138019.tif 000007
【図６】
2020138019.tif 000008
【図７】
2020138019.tif 000009
【図８】
2020138019.tif 000010
【図９】
2020138019.tif 000011